(57)【要約】【課題】  便器の使用者の介助、又は使用者の体形に応じた最適な使い勝手を実現でき、しかも、これを極めて簡単な施工にて実現できる便器周りの可動床装置を提供する。【解決手段】  踏板４の上に使用者Ｐが立つ状態で、踏板４を床材２の下方まで下降させる。使用者Ｐの尻Ｈの直下に洋式便器１の便座Ｓが軽く接触又は接近したところで、踏板４の下降を停止させる。この状態で、使用者Ｐは、腰や背中を無理に折り曲げることなく便座Ｓに尻Ｈを僅かに降ろすだけで、洋式便器１に容易に着座できる。また、踏板４を回転できるようにしても良い。【選択図】  図１０
2006051339.tif 000002
【特許請求の範囲】
【請求項１】
便器を上面に設置し該便器の近傍に開口を形成した床材と、前記開口に嵌め込まれる踏板と、該踏板を前記床材の上面の高さから前記床材の下方に至る範囲で昇降させる昇降駆動装置とを備えることを特徴とする便器周りの可動床装置。
【請求項２】
前記昇降駆動装置は、前記踏板を前記床材の上面の高さから前記床材の上方に至る範囲で昇降させることを特徴とする請求項１に記載の便器周りの可動床装置。
【請求項３】
前記踏板を水平面に沿わせて回転させる回転駆動装置を備えることを特徴とする請求項１又は２に記載の便器周りの可動床装置。
【請求項４】
前記昇降駆動装置は、ナットを直立する送りねじに螺合し、前記ナット又は前記送りねじの一方に前記踏板を接続し、前記送りねじと前記ナットとを相対的に回転させることにより、前記踏板を前記ナット又は前記送りねじの一方に伴わせて昇降させることを特徴とする請求項１，２又は３に記載の便器周りの可動床装置。
【請求項５】
前記ナット又は前記送りねじの一方が遠隔操作に従って起動又は停止する電動機により回転することを特徴とする請求項４に記載の可動床装置。
【請求項６】
前記床材は、便房の床面に立ち上げた束材により前記床面の上方に支持される床パネルであることを特徴とする請求項１乃至５の何れかに記載の可動床装置。
【発明の詳細な説明】
【技術分野】
【０００１】
本発明は、家庭や病院等の便房に簡単に設置できる便器周りの可動床装置に関する。
【背景技術】
【０００２】
下記の特許文献１には、便器を使用する者（以下で「使用者」と記す。）の利便を考慮して、便器を便房の床面に対して昇降させる技術が開示されている。また、下記の特許文献２には、便器の周りの清掃を念入りに行えるように、清掃時に床板の一部を浮き上がらせる技術が開示されている。
【特許文献１】特開２０００−２７２７０号公報
【特許文献２】特開平６−２６６９４号公報
【発明の開示】
【発明が解決しようとする課題】
【０００３】
しかしながら、特許文献１のように便器を昇降させるには、便器を昇降可能に便房に取付けなければならないので、施工が大掛かりになる上、施工費が高騰するという問題がある。また、特許文献２では、床面を所望の高さに停止させることはできず、単に床板を所定の範囲で動作させるに過ぎない。
【０００４】
本発明の目的は、便器の使用者の介助、又は使用者の体形に応じた最適な使い勝手を実現でき、しかも、これを極めて簡単な施工にて実現できる便器周りの可動床装置を提供することにある。
【課題を解決するための手段】
【０００５】
本発明に係る便器周りの可動床装置は、便器を上面に設置し該便器の近傍に開口を形成した床材と、前記開口に嵌め込まれる踏板と、該踏板を前記床材の上面の高さから前記床材の下方に至る範囲で昇降させる昇降駆動装置とを備えることを特徴とする。
【０００６】
更に、本発明に係る便器周りの可動床装置は、前記昇降駆動装置が、前記踏板を前記床材の上面の高さから前記床材の上方に至る範囲で昇降させることを特徴とする。更に、当該可動床装置は、前記踏板を水平面に沿わせて回転させる回転駆動装置を備えることが望ましい。
【０００７】
更に、本発明に係る便器周りの可動床装置は、前記昇降駆動装置が、ナットを直立する送りねじに螺合し、前記ナット又は前記送りねじの一方に踏板を接続し、前記送りねじと前記ナットとを相対的に回転させることにより、前記踏板を前記ナット又は前記送りねじの一方に伴わせて昇降させることを特徴とする。
【０００８】
更に、本発明に係る便器周りの可動床装置は、前記ナット又は前記送りねじの一方が遠隔操作に従って起動又は停止する電動機により回転することを特徴とする。
【０００９】
更に、本発明に係る便器周りの可動床装置は、前記床材が、便房の床面に立ち上げた束材により前記床面の上方に支持される床パネルであることを特徴とする。
【発明の効果】
【００１０】
本発明に係る便器周りの可動床装置によれば、便器の近傍に形成した床材の開口に嵌め込まれる踏板を、昇降駆動装置によって床材の上面の高さから同床材の下方に至る範囲にて昇降させ、これにより便器の使用者の介助、又は使用者の体形に応じた最適な使い勝手を実現することができる。
【００１１】
即ち、便器に使用者が座るには、通常、使用者が便器に接近するだけでは足らず、腰や背中を折り曲げながら便器の便座まで尻を降ろさなければならない。そこで、先ず踏板を床材の上面の高さで待機させ、この踏板の上に使用者が乗る。更に、昇降駆動装置によって踏板を床材の上面の高さから同床材の下方まで下降させ、使用者の尻の直下に便器の便座が軽く接触又は接近したところで、踏板の下降を停止させる。
【００１２】
この状態で、使用者は、腰や背中を無理に折り曲げることなく便座に尻を僅かに降ろすだけで、便器に容易に着座することができる。この後、踏板を床材の上面の高さまで再び上昇させる。
【００１３】
また、使用者が便座に尻を下ろした後、自力で尻を便座の内方へ滑らせることが困難なこともある。このような場合、踏板を僅かに上昇させれば、使用者の脚が踏板によって押し上げられるので、使用者が便座の上で尻を浮かせる動作を助成することができる。
【００１４】
次に、使用者が便器から離れるには、踏板を床材の下方まで下降させる。この状態で、使用者は踏板の上に略立ち上がる体勢となり、その尻が便器の便座に軽く接触する。この体勢から、使用者は無理な筋力に頼ることなく尻を僅かに便座から浮かすだけで、便器から容易に立ち上がることができる。更に、踏板を床材の上面の高さまで上昇させれば、踏板と床材との段差が解消されるので、使用者は自ら歩行する等して、便器から離れることができる。
【００１５】
また、使用者の体形には個人差があるので、膝から踵又は足先までの長さが必ずしも便器の便座から床材の上面までの距離に一致するとは限らない。例えば、幼児等が便器に着座するとその踵又は足先が床材から浮き上がり、幼児等が自ら便器に着座、又は同便器から立ち上がることが難しく、保護者等の手助けが不可欠な場合が多い。このような場合に、昇降駆動装置が踏板を床材の上面の高さから床材の上方に至る範囲で昇降させるよう構成すれば、便器の便座から踏板までの距離（高さ）を、便器の便座から床材の上面までの距離よりも短くできるので、幼児等が便器に着座してもその踵又は足先が床材から浮き上がることがない。従って、幼児等が自ら便器に着座、又は同便器から立ち上がることができ、保護者等の手間を省くことができる。
【００１６】
しかも、本発明に係る便器周りの可動床装置によれば、以上に述べた効果を極めて簡単な施工によって実現することができる。即ち、便器を昇降させなくて済むので、例えば便房に既存の便器が在る場合、この近傍に開口を形成すれば、当該可動床装置を設置することができる。従って、便器を昇降させるような構成に比較して、便房に殆ど改造を施す必要が無く、また便器の取替えに伴う施工費を大幅に削減することができる。
【００１７】
更に、回転駆動装置が踏板を水平面に沿わせて適時回転せるよう構成した場合、上記の効果に加えて以下のような使用方法が可能となる。即ち、車椅子に乗った使用者が便器を利用するに際して、使用者が、便器の前方から車椅子と共に踏板へ向って接近し、その腕力に頼って踏板上に乗り移れるならば、この状態で踏板を約１８０度回転させるだけで、使用者の尻は便器に向けられることになる。反対に、使用者がその腕力に頼って便器から踏板上に乗り移れるならば、この状態で踏板を約１８０度回転させると、使用者の尻は車椅子に向けられることになる。
【００１８】
更に、本発明に係る便器周りの可動床装置に適用する昇降駆動装置が、ナットを直立する送りねじに螺合する構成であれば、送りねじとナットとを相対的に回転させることにより、踏板をナット又はねじ棒の一方に伴わせて昇降させ、ナットとねじ棒の相対的な回転を止めた時点で直ちに踏板の昇降を停止させ、その停止した高さで踏板を位置決めすることができる。このため、油圧シリンダ等の伸縮、又はギアを噛み合わせて駆動力を伝達する構造とは異なり、踏板に乗った使用者の荷重に抗して踏板を所定の高さに支持するためのブレーキ装置等を省略し、製造コストを抑えることができる。しかも、ナット又は送りねじが回転しない限り、踏板は昇降しないので、踏板が急激に降下するといった恐れがない。
【００１９】
更に、ナット又はねじ棒の一方が遠隔操作に従って起動又は停止する電動機により回転するよう構成した場合、使用者は踏板の高さをその手元で変化させることができる。従って、使用者が便器の近傍に起立するとき、着座するとき、又は起立する使用者が着座しようとして、その体勢が様々に変化しても、使用者は適切に踏板の高さを設定することができる。
【００２０】
更に、本発明に係る便器周りの可動床装置に適用する床材が、便房の床面に立ち上げた束材により床面の上方に支持される床パネルである場合、便房の基礎や床スラブ等を加工することなく、当該可動床装置を簡便に設置することができる。従って、例えば高層住宅の床スラブのように、開口を形成するといった施工が構造上許されない場合でも、当該可動床装置を設置できるという利点がある。
【発明を実施するための最良の形態】
【００２１】
図１及び図２に示すように、本発明の実施形態に係る便器周りの可動床装置は、洋式便器１が設置される床材２に開口３を形成し、図中にドットを付したように、開口３に嵌め込まれる踏板４を、同図に仮想線で表した高さとなるように、矢印Ｙで指した上下方向に昇降させるものである。床材２に開口３が形成される位置は、洋式便器１の近傍であれば何処でも良いが、以下の実施例では、洋式便器１の両側又は片側に、支え棒や手摺等が設置されることを考慮し、矢印Ｆで指した洋式便器１の前方に定める。
【実施例１】
【００２２】
図２及び図３に示すように、便器周りの可動床装置１０は、洋式便器１を上面に固定した床材２と、床材２の開口３に嵌め込まれる踏板４と、踏板４を床材２の上面の高さ、言い換えると踏板４が床材２に対して面一になる高さから床材２の下方にある床下に至る範囲、又は床材２の上面の高さから床材２の上方に至る範囲で昇降させる昇降駆動装置５とを備える。ここで「範囲」とは、踏板４が昇降できる行程を意味する。
【００２３】
可動床装置１０を既存の便房２０に設置する場合は、床スラブ等から成る床材２に、開口３を形成することに加え、開口３の下方に、踏板４を２５〜５０ｃｍ程度の深さまで没入でき、且つ昇降駆動装置５を収納できる床下スペース３１を確保する。床下スペース３１が屋外に通じる場合には、昇降駆動装置５の周囲に断熱材３２を設けても良い。
【００２４】
昇降駆動装置５は、床下スペース３１に直立姿勢で固定されるガイドレール６と、ガイドレール６に滑動自在に係合し踏板４に接続したスライダ７と、図４に示すように、床下スペース３１に直立姿勢で設けられた送りねじ８と、送りねじ８に螺合し踏板４に支持体４１を介して取付けられたナット９とを備える。
【００２５】
ガイドレール６の上端は床材２の下面に固定され、ガイドレール６の下端は、床下スペース３１の底面を形成する布基礎３３に固定されている。ガイドレール６とスライダ７としては、予め組み合わされた直動案内軸受を適用できる。送りねじ８とナット９としては、予め組み合わされたボールねじ機構を適用できる。また、送りねじ８が、ナット９を介して踏板４と踏板４に乗る使用者の体重とを合算した荷重を安定して支持するのに十分な剛性を有する場合は、ガイドレール６とスライダ７とを省略しても良い。
【００２６】
送りねじ８は、その上端を図に表れていない軸受等を介して床材２の下面に回転自在に支持されている。送りねじ８の下端は、布基礎３３に固定した減速機付きモータ等から成る電動機Ｍに接続されている。電動機Ｍが後述の遠隔操作に従って起動し、送りねじ８が回転すると、踏板４はナット９に伴って昇降する。電動機Ｍが後述の遠隔操作に従って停止し、送りねじ８の回転が止まると、踏板４の昇降が直ちに停止する。このような遠隔操作を実現するために、昇降駆動装置５は、更に図５に示すよう構成されている。
【００２７】
即ち、昇降駆動装置５は、スイッチボックス１１から送出される指令信号に基づき、家庭用の交流電源１２を用いて電動機Ｍを起動又は停止させる制御装置１３を備える。スイッチボックス１１は、上昇指令用のプッシュスイッチ１１１と、下降昇指令用のプッシュスイッチ１１２を有し、これらのプッシュスイッチ１１１又は１１２が使用者の指で押さえられると、電動機Ｍが正転又は逆転する方向に回転し、使用者の指がプッシュスイッチ１１１又は１１２から離されると、電動機Ｍは直ちに停止する。プッシュスイッチ１１１，１１２は、使用者が足踏みできるペダルであっても良い。この場合、スイッチボックス１１を踏板４の上面に配置しても良い。
【００２８】
更に、制御装置１３に、音声モジュールに従って音声案内を出力するスピーカ１５を接続しても良い。この場合、制御装置１３は、上昇指令用のプッシュスイッチ１１１を使用者が押したことに基づき、「踏板が上がります」等のメッセージを、スピーカ１５に発声させても良い。或いは、下降指令用のプッシュスイッチ１１２を使用者が押したことに基づき、「踏板が下がります」等のメッセージを、スピーカ１５に発声させても良い。これにより、使用者の足下が突然動いて使用者自身が驚くことを予防できる。
【００２９】
また、スイッチボックス１１は、便房２０内を自在に移動できるように、制御装置１３に可撓ケーブルを介して接続しても良いが、上記の指令信号を無線信号として送信できる送信機をスイッチボックス１１に設けると共に、制御装置１３にその受信機を設けても良い。また、使用者がスイッチボックス１１を操作する度に手や足を伸ばす雑作を少しでも軽減するために、スイッチボックス１１を２個以上に増設し、個々のスイッチボックス１１をできるだけ使用者の手元又は足下に近づけて配置することが望ましい。
【００３０】
更に、制御装置１３には、踏板４が昇降駆動装置５によって上昇する上限を検出するリミットスイッチＬＳ１と、踏板４が昇降駆動装置５によって下降する下限を検出するリミットスイッチＬＳ２を各々接続し、これらリミットスイッチＬＳ１又はＬＳ２から送出される検出信号に基づき、スイッチボックス１１の操作に関わらず、電動機Ｍの強制停止が行えるようにしても良い。
【００３１】
或いは、図６に示すように、昇降駆動装置５として、踏板４に支持体４１を介して作動ロッド５１を接続した電動式シリンダ５２を適用しても良い。電動式シリンダ５２は、周知の技術なので詳しい図示を省略するが、回転自在なナットと同ナットに螺合したねじ棒とを内装しており、電動機Ｍによってナットがねじ棒に対して回転すると、ねじ棒が上下方向に変位し、これに従って作動ロッド５１が踏板４を伴って上下方向に進退動する。この他、電動式シリンダ５２に代えて、油圧シリンダ、又は空気圧シリンダ等を適用しても良い。
【００３２】
尚、上記の支持体４１は、スライダ７と踏板４との間の距離、又は作動ロッド５１と踏板４との間の距離を稼ぐことで、図３に示すように踏板４が床材２の上方に突出した状態で、ガイドレール６、スライダ７、送りねじ８、又はナット９が床材２の上側に露出するのを防止するために設けられている。従って、支持体４１を省略しても昇降駆動装置５の機能には関係ない。
【実施例２】
【００３３】
次に、図７及び図８に示すように、床材２として、既存の便房２０の床面２１に立ち上げた束材１４により床面２１の上方に支持される床パネルを適用した形態を説明する。以下で、実施例１において既に述べた構成要素には同符号を付し、その詳細な図示又は説明は省略する。
【００３４】
例えば、高層住宅の床スラブのように、これに開口３を形成するといった施工が構造上許されない場合、便房２０内を底上げすることで、便房２０の基礎や床スラブ等を加工することなく、可動床装置１０を簡便に設置することができる。この場合、初めに便房２０の床面２１に固定されていた洋式便器１は、床面２１から一旦取り外して、床材２の上面に付け替えるだけで良い。また、便房２０内を底上げした分、洋式便器１が床面２１から高く位置することになるが、エクステンション管２２を用いて洋式便器１と床面２１との間を補完することによって排水路を確保できる。
【００３５】
以上の実施例１，２で述べた可動床装置１０によれば、踏板４を昇降駆動装置５によって適宜に昇降させることにより、使用者の介助を行い、或いは使用者の体形に応じた最適な使い勝手を実現することができる。詳しくは以下の通りである。
【００３６】
即ち、図９に示すように、洋式便器１に使用者Ｐが座るには、先ず踏板４を床材２の上面の高さで待機させ、この踏板４の上に使用者Ｐが立って乗る。このとき使用者Ｐが手で握れるような支え棒４２を踏板４に取付けても良い。更に、上記のスイッチボックス１１を操作して、電動機Ｍを起動させることにより、踏板４を床材２の上面の高さから床材２の下方まで下降させる。以下で、踏板４の昇降又は停止に係る動作は、特に断らない限り、使用者Ｐ又はその介護者がスイッチボックス１１を操作して行うものとする。
【００３７】
続いて、図１０に示すように、使用者Ｐの尻Ｈの直下に洋式便器１の便座Ｓが軽く接触又は接近したところで、踏板４の下降を停止させる。この状態で、使用者Ｐは、腰や背中を無理に折り曲げることなく便座Ｓに尻Ｈを僅かに降ろすだけで、洋式便器１に容易に着座することができる。この後、踏板４を床材２の上面の高さまで上昇させても良いが、例えば、使用者Ｐが膝Ｎを曲げないで洋式便器１に座り続けたいのであれば、踏板４を床材２の下方に位置させておいても良い。
【００３８】
また、使用者Ｐが便座Ｓに尻Ｈを下ろした後、自力で尻Ｈを矢印Ｉで指した便座Ｓの内方へ滑らせることが困難なこともある。このような場合、踏板４を僅かに上昇させれば、使用者Ｐの脚Ｌが踏板４によって押し上げられるので、使用者Ｐが便座Ｓの上で尻Ｈを僅かに浮かせる動作を助成することができる。
【００３９】
次に、使用者Ｐが洋式便器１から離れるには、踏板４を床材２の下方まで下降させる。この状態で、使用者Ｐは、再び図１０に示すように、踏板４の上に略立ち上がる体勢となり、尻Ｈが洋式便器１の便座Ｓに軽く接触することになる。この体勢から、使用者Ｐは無理な筋力に頼ることなく尻Ｈを僅かに便座Ｓから浮かすだけで、洋式便器１から容易に立ち上がることができる。更に図９に示すように、踏板４を床材２の上面の高さまで上昇させれば、踏板４と床材２ととが面一になって段差が解消されるので、使用者Ｐは自ら歩行する等して、洋式便器１から離れることができる。
【００４０】
また、使用者Ｐの体形には個人差があるので、膝Ｎから踵又は足先Ｔまでの長さが必ずしも洋式便器１の便座Ｓから床材２の上面までの距離に一致するとは限らない。例えば、幼児等が洋式便器１に着座するとその踵又は足先Ｔが床材２から浮き上がり、幼児等が自ら洋式便器１に着座、又は同便器から立ち上がることが難しく、保護者等の手助けが不可欠な場合が多い。
【００４１】
このような場合に、図１１に示すように、昇降駆動装置５が踏板４を床材２の上面の高さから床材２の上方に至る範囲で昇降させれば、洋式便器１の便座Ｓから踏板４までの距離（高さ）を、洋式便器１の便座Ｓから床材２の上面までの距離よりも短くできる。このため、幼児等が洋式便器１に着座してもその踵又は足先Ｔが浮き上がることがない。
【００４２】
或いは、図１２（ａ），（ｂ）に示すように、洋式便器１を幼児等が使用する場合、大人用の便座Ｓのサイズは幼児等に大き過ぎるので、開口部１７の狭い幼児等用便座１６を、便座Ｓ上に重ねることがある。この場合、幼児等用便座１６から床材２までの距離が、幼児等の膝Ｎから踵又は足先Ｔまでの長さを大きく超えてしまう。そこで、踏板４を床材２の上面の高さから床材２の上方に至る範囲で昇降させれば、幼児等用便座１６に着座した幼児等の踵又は足先Ｔが浮き上がることがない。従って、幼児等が自ら洋式便器１に着座、又は洋式便器１から立ち上がることができ、保護者等の手間を省くことができる。
【実施例３】
【００４３】
次に、図１３及び図１４に示すように、実施例１，２で述べた可動床装置１０に、踏板４を水平面に沿わせて回転させる回転駆動装置１８を付加した形態を説明する。以下で、実施例１，２において既に述べた構成要素には同符号を付し、その詳細な図示又は説明は省略する。
【００４４】
上記の回転駆動装置１８としては、鉛直軸周りに回転自在なターンテーブル１８１を、減速機付きモータ１８２によって適時回転させるよう構成した周知の技術を適用できる。また、ターンテーブル１８１に踏板４を取付けても良いが、ターンテーブル１８１自体の上面を踏板４として利用しても良い。
【００４５】
車椅子に乗った使用者Ｐが洋式便器１を利用するには、先ず使用者Ｐは、矢印Ｆで指した洋式便器１の前方から、図に表れていない車椅子と共に踏板４へ向って接近する。そして、図１５に示すように、一対の手摺４３を両手で握り、その両腕Ａの腕力に頼りながら踏板４上に乗り移る。同図は、両腕Ａがそれぞれ一対の手摺４３によって支えられた使用者Ｐの姿を表している。この状態で、減速機付きモータ１８２を起動させることにより、踏板４を約１８０度回転させると、図１６に示すように、使用者Ｐは尻Ｈを洋式便器１に向けることができる。
【００４６】
続いて、使用者Ｐは自力で洋式便器１に着座しても良いが、既述の通り電動機Ｍを起動させて、踏板４を床材２の上面の高さから床材２の下方まで下降させても良い。この場合、使用者Ｐの尻Ｈの直下に洋式便器１の便座Ｓが軽く接触又は接近したところで、踏板４の下降を停止させれば、使用者Ｐは、腰や背中を無理に折り曲げることなく便座Ｓに尻Ｈを僅かに降ろすだけで、洋式便器１に容易に着座することができる。但し、上記の車椅子を、一対の手摺４３の間（踏板４の上）まで乗り入れても良いが、使用者Ｐが尻Ｈを洋式便器１に向けた時点で、車椅子が洋式便器１に着座するのを邪魔しないように、踏板４を約１８０度回転させる前に、介護者等によって車椅子を一対の手摺４３の間から引出す必要がある。
【００４７】
以上に述べた踏板４の回転、昇降又は停止に係る動作は、介護者が図５に表したスイッチボックス１１を操作する等して行っても良いが、手摺４３に踏板４の回転、昇降又は停止を指令するスイッチを設け、これを使用者Ｐ自身が操作できるようにしても良い。更に望ましくは、両腕Ａで自身を手摺４３上に支える使用者Ｐがその指を動かし辛いことを考慮し、制御装置１３が使用者Ｐの音声による指令を感知して、電動機Ｍ又は減速機付きモータ１８２を所望の向きに回転、又は停止できるように構成しても良い。また、踏板４を回転させる角度は、上記の１８０度に限られるものではない。例えば、車椅子に乗った使用者Ｐが踏板４に対して、その真横から接近する場合には、踏板４を約９０度回転させれば良い。
【００４８】
次に、使用者Ｐが洋式便器１から離れるには、使用者Ｐは洋式便器１に着座したまま手摺４３を握り、その両腕Ａの腕力に頼りながら踏板４上に乗り移る。この状態で、再び踏板４を約１８０度回転させると、図１５に示すように、使用者Ｐは尻Ｈを上記の車椅子に向けることができる。このまま、使用者Ｐは自力で車椅子に着座しても良いが、踏板４を床材２の上面の高さから床材２の下方まで下降させれば、使用者Ｐの尻Ｈの直下に車椅子を近づけられるので、使用者Ｐは、腰や背中を無理に折り曲げることなく車椅子に尻Ｈを降ろすだけで、車椅子に容易に着座することができる。
【００４９】
尚、本発明は、その趣旨を逸脱しない範囲で当業者の知識に基づいて種々なる改良、修正、変形を加えた態様で実施できる。例えば、踏板４にフロアヒータ等の暖房器具を設けても良い。また、踏板４に接触センサを設けて、使用者Ｐが踏板４に乗っていないときには、制御装置１３の判断に基づき、踏板４が床材２の上面の高さに復帰されるようにしても良い。また、送りねじ８に手回しハンドルを接続する等して、手動で踏板４を昇降できるようにしても良い。
【産業上の利用可能性】
【００５０】
本発明は、既成の便器の近傍に簡単に設置できるので、その施工費が安価なことに加え工期も短縮することができる。また、本発明に係る可動床装置を介護施設等に設置すれば、高齢者、身体障害者、又は幼児等の日常生活の自律を促すと共に、その介護者等の負担を軽減するのにも有益である。
【図面の簡単な説明】
【００５１】
【図１】本発明の実施形態に係る便器周りの可動床装置の動作例を概略した斜視図。
【図２】本発明の実施例１に係る便器周りの可動床装置の設置例を概略した斜視図。
【図３】本発明の実施例１に係る便器周りの可動床装置の設置例を示す断面図。
【図４】本発明の実施例１に係る便器周りの可動床装置の要部の一例を示す側面図。
【図５】本発明の実施例１に係る便器周りの可動床装置に適用した制御装置の構成を示すブロック図。
【図６】本発明の実施例１に係る便器周りの可動床装置の要部の他例を示す側面図。
【図７】本発明の実施例２に係る便器周りの可動床装置の設置例を示す断面図。
【図８】本発明の実施例２に係る便器周りの可動床装置の設置例を概略した斜視図。
【図９】本発明の実施形態に係る便器周りの可動床装置の待機状態を示す側面図。
【図１０】本発明の実施形態に係る便器周りの可動床装置の下降状態を示す側面図。
【図１１】本発明の実施形態に係る便器周りの可動床装置の上昇状態を示す側面図。
【図１２】（ａ）は本発明の実施形態に係る便器周りの可動床装置の他の使用例を示す側面図、（ｂ）は小児用便座の斜視図。
【図１３】本発明の実施例３に係る便器周りの可動床装置の動作例を概略した斜視図。
【図１４】本発明の実施例３に係る便器周りの可動床装置の設置例を概略した要部の分解斜視図。
【図１５】本発明の実施例３に係る便器周りの可動床装置の待機状態を示す側面図。
【図１６】本発明の実施例３に係る便器周りの可動床装置の回転状態を示す側面図。
【符号の説明】
【００５２】
１：洋式便器
２：床材（床パネル）
３：開口
４：踏板
５：昇降駆動装置
８：送りねじ
９：ナット
１０：可動床装置
１４：束材
１８：回転駆動装置
２０：便房
２１：床面
【図１】
2006051339.tif 000003
【図２】
2006051339.tif 000004
【図３】
2006051339.tif 000005
【図４】
2006051339.tif 000006
【図５】
2006051339.tif 000007
【図６】
2006051339.tif 000008
【図７】
2006051339.tif 000009
【図８】
2006051339.tif 000010
【図９】
2006051339.tif 000011
【図１０】
2006051339.tif 000012
【図１１】
2006051339.tif 000013
【図１２】
2006051339.tif 000014
【図１３】
2006051339.tif 000015
【図１４】
2006051339.tif 000016
【図１５】
2006051339.tif 000017
【図１６】
2006051339.tif 000018